(57)【要約】【課題】被写体に応じた細かい設定を容易に行うことができるようにする。【解決手段】本技術の一側面の情報処理装置は、ユーザにより指定された画像上の位置を検出する検出部と、検出された位置を含む範囲に写る被写体を認識する認識部と、被写体の写りに関する設定を行う機能を、被写体の認識結果に応じて複数選択する選択部と、選択された機能を表すアイコンを画像に重ねて表示させる表示制御部とを備える。本技術は、デジタルカメラ、スマートフォン、タブレット端末などの撮影機能を有する機器に適用することができる。【選択図】図６
2014075651.tif 000002
【特許請求の範囲】
【請求項１】
ユーザにより指定された画像上の位置を検出する検出部と、
検出された位置を含む範囲に写る被写体を認識する認識部と、
前記被写体の写りに関する設定を行う機能を、前記被写体の認識結果に応じて複数選択する選択部と、
選択された前記機能を表すアイコンを前記画像に重ねて表示させる表示制御部と
を備える情報処理装置。
【請求項２】
撮影部をさらに備え、
前記検出部は、前記撮影部により撮影されたスルー画像上の位置を検出する
請求項１に記載の情報処理装置。
【請求項３】
前記認識部は、前記画像の一部の範囲に写る前記被写体を認識する
請求項１に記載の情報処理装置。
【請求項４】
前記検出部は、ユーザにより指定された複数の位置を検出し、
前記認識部は、検出された位置を含むそれぞれの範囲に写る前記被写体を認識し、
前記選択部は、複数の前記被写体の認識結果に応じて前記機能を選択する
請求項１に記載の情報処理装置。
【請求項５】
前記表示制御部は、前記アイコンが選択された場合、選択された前記アイコンにより表される前記機能によって前記被写体の写りに関する設定を行うための操作画像を表示させる
請求項１に記載の情報処理装置。
【請求項６】
前記操作画像を用いて行われた設定に応じて、前記被写体の写りを変える画像処理部をさらに備える
請求項１に記載の情報処理装置。
【請求項７】
前記表示制御部は、複数の前記アイコンを画面の下方に横方向に並べて表示させる
請求項１に記載の情報処理装置。
【請求項８】
前記表示制御部は、複数の前記アイコンを、画面の所定の位置に異なるタイミングで出現させ、並べて表示させる位置まで移動させる
請求項７に記載の情報処理装置。
【請求項９】
前記表示制御部は、前記検出部により検出された位置に、位置を検出したことを表す画像を表示させる
請求項１に記載の情報処理装置。
【請求項１０】
ユーザにより指定された画像上の位置を検出し、
検出した位置を含む範囲に写る被写体を認識し、
前記被写体の写りに関する設定を行う機能を、前記被写体の認識結果に応じて複数選択し、
選択した前記機能を表すアイコンを前記画像に重ねて表示させる
ステップを含む情報処理方法。
【請求項１１】
ユーザにより指定された画像上の位置を検出し、
検出した位置を含む範囲に写る被写体を認識し、
前記被写体の写りに関する設定を行う機能を、前記被写体の認識結果に応じて複数選択し、
選択した前記機能を表すアイコンを前記画像に重ねて表示させる
ステップを含む処理をコンピュータに実行させるプログラム。
【発明の詳細な説明】
【技術分野】
【０００１】
本技術は、情報処理装置、情報処理方法、およびプログラムに関し、特に、被写体に応じた細かい設定を容易に行うことができるようにした情報処理装置、情報処理方法、およびプログラムに関する。
【背景技術】
【０００２】
デジタルカメラの多機能化が進んでおり、撮影に関する各種のパラメータをユーザが自ら設定できるようになっているが、ユーザが全ての機能を使いこなせていないことが多い。
【０００３】
例えば、機能が搭載されていることについてユーザが認知していない場合がある。また、機能が搭載されていることについてユーザが認知している場合でも、ユーザがメニュー画面から能動的に機能を選択し、実行する必要がある。多くの機能を選択するために複雑に階層化されたメニュー画面からでは、各機能へのアクセス性は極めて低く、一般的なユーザには使い勝手が良くない。
【０００４】
そこで、各種の機能をユーザが利用できるようにするための技術が各種提案されている。例えば特許文献１には、現在の日時や取り込み画像の明るさなどの条件に応じた撮影モードを複数選択し、おすすめの撮影モードとして提示する技術が記載されている。ユーザは、夜景モード、花火モードなどの中から好みの撮影モードを選択し、撮影を行うことができる。
【先行技術文献】
【特許文献】
【０００５】
【特許文献１】特開２００７−８８６６２号公報
【発明の概要】
【発明が解決しようとする課題】
【０００６】
特許文献１に開示されている技術はユーザによる選択に応じて撮影モードを切り替えるものであり、選択された撮影モードに応じて、明るさ、色合い、シャッタスピードなどの各種のパラメータが一括して設定されることになる。
【０００７】
本技術はこのような状況に鑑みてなされたものであり、被写体に応じた細かい設定を容易に行うことができるようにするものである。
【課題を解決するための手段】
【０００８】
本技術の一側面の情報処理装置は、ユーザにより指定された画像上の位置を検出する検出部と、検出された位置を含む範囲に写る被写体を認識する認識部と、前記被写体の写りに関する設定を行う機能を、前記被写体の認識結果に応じて複数選択する選択部と、選択された前記機能を表すアイコンを前記画像に重ねて表示させる表示制御部とを備える。
【０００９】
撮影部をさらに設けることができる。この場合、前記検出部には、前記撮影部により撮影されたスルー画像上の位置を検出させることができる。
【００１０】
前記認識部には、前記画像の一部の範囲に写る前記被写体を認識させることができる。
【００１１】
前記検出部には、ユーザにより指定された複数の位置を検出させ、前記認識部には、検出された位置を含むそれぞれの範囲に写る前記被写体を認識させ、前記選択部には、複数の前記被写体の認識結果に応じて前記機能を選択させることができる。
【００１２】
前記表示制御部には、前記アイコンが選択された場合、選択された前記アイコンにより表される前記機能によって前記被写体の写りに関する設定を行うための操作画像を表示させることができる。
【００１３】
前記操作画像を用いて行われた設定に応じて、前記被写体の写りを変える画像処理部をさらに設けることができる。
【００１４】
前記表示制御部には、複数の前記アイコンを画面の下方に横方向に並べて表示させることができる。
【００１５】
前記表示制御部には、複数の前記アイコンを、画面の所定の位置に異なるタイミングで出現させ、並べて表示させる位置まで移動させることができる。
【００１６】
前記表示制御部には、前記検出部により検出された位置に、位置を検出したことを表す画像を表示させることができる。
【００１７】
本技術の一側面においては、ユーザにより指定された画像上の位置が検出され、検出された位置を含む範囲に写る被写体が認識され、前記被写体の写りに関する設定を行う機能が、前記被写体の認識結果に応じて複数選択され、選択された前記機能を表すアイコンが前記画像に重ねて表示される。
【発明の効果】
【００１８】
本技術によれば、被写体に応じた細かい設定を容易に行うことができる。
【図面の簡単な説明】
【００１９】
【図１】本技術の一実施形態に係る情報処理装置の背面側の外観を示す図である。
【図２】ユーザの操作の例を示す図である。
【図３】ディスプレイの表示例を示す図である。
【図４】図３に続くディスプレイの表示例を示す図である。
【図５】図４に続くディスプレイの表示例を示す図である。
【図６】図５に続くディスプレイの表示例を示す図である。
【図７】アイコンの表示について説明する図である。
【図８】図６に続くディスプレイの表示例を示す図である。
【図９】図８に続くディスプレイの表示例を示す図である。
【図１０】図９に続くディスプレイの表示例を示す図である。
【図１１】図１０に続くディスプレイの表示例を示す図である。
【図１２】情報処理装置の構成例を示すブロック図である。
【図１３】情報処理装置の機能構成例を示すブロック図である。
【図１４】被写体の認識結果と撮影設定モードとの対応関係の例を示す図である。
【図１５】アイコンの表示例を示す図である。
【図１６】アイコンの他の表示例を示す図である。
【図１７】情報処理装置の動作について説明するフローチャートである。
【図１８】コンピュータの構成例を示すブロック図である。
【発明を実施するための形態】
【００２０】
［GUI(Graphical User Interface)の例］
図１は、本技術の一実施形態に係る情報処理装置の背面側の外観を示す図である。
【００２１】
情報処理装置１はデジタルカメラであり、静止画や動画の撮影機能を有している。ここでは情報処理装置１をデジタルカメラに適用した場合について説明するが、スマートフォン、タブレット端末などの、撮影機能を有する各種の機器に適用することも可能である。
【００２２】
情報処理装置１の筐体の正面にはレンズが設けられ、背面には図１に示すようにディスプレイ１１が設けられる。ディスプレイ１１にはタッチパネルが積層して設けられる。ユーザは、ディスプレイ１１の周りに設けられているボタンを用いて操作を行うだけでなく、ディスプレイ１１に表示されたGUIに従ってディスプレイ１１の表面を指などで触れることによっても操作を行うことができる。
【００２３】
情報処理装置１の電源をオンにしたき、情報処理装置１の状態は例えば静止画を撮影する状態となり、取り込み中の画像であるスルー画像がディスプレイ１１に表示される。図１の例においては、子どもがベンチに座り、子どもの前方に椅子とテーブルが置かれている状況の画像がスルー画像として表示されている。ユーザは、図示せぬシャッタボタンを操作するなどして、好みのタイミングで静止画を撮影することができる。
【００２４】
情報処理装置１においては、ユーザにより指定されたスルー画像上の位置を含む所定の範囲に写る被写体が認識され、被写体の状態に応じた撮影設定モードがユーザに提示される。ユーザは、提示された撮影設定モードの中から所定のモードを選択し、選択した撮影設定モードを利用して撮影を行うことができる。撮影設定モードは、明るさの補正や色合いの補正などの、被写体の写りに関する設定を行うための機能である。
【００２５】
例えば、図２に示すようにユーザがスルー画像上の位置Ｐ１をタッチした（指で触れた）場合、図３に示すように、タッチ操作の検出をフィードバックする画像２１が表示される。位置Ｐ１はスルー画像に写っている子どもの顔の位置である。画像２１は黄色などの所定の色の円形の画像であり、位置Ｐ１を中心とした所定の範囲を囲むように、スルー画像に重ねて表示される。なお、位置Ｐ１を示す×印はディスプレイ１１に表示されるものではない。
【００２６】
画像２１は１秒間などの短い時間だけ表示され、その後、画像２１に代えて、図４に示すように被写体の認識中であることを表すアニメーションが所定の時間だけ表示される。図４のアニメーションは、例えば、複数の円形の画像を、位置、大きさ、濃度を変化させながらスルー画像に重ねて表示させるものである。図４の状態においては、大きさの異なる６個の円形の画像である画像３１〜３６が、図２の画像２１の色とは異なる色で、それぞれ重ならないようにランダムな位置に表示されている。
【００２７】
アニメーションの表示が終了したとき、図５に示すように、撮影設定モードを表すアイコン４１〜４５がディスプレイ１１に表示される。アイコン４１〜４５は、それぞれ、出現位置（表示開始位置）から下方向に移動し、図６に示すようにディスプレイ１１の下辺に沿って並べて表示される。
【００２８】
図７は、アイコン４１〜４５の表示について説明する図である。図７においては、スルー画像を省略している。
【００２９】
位置Ｐ１１〜Ｐ１５は、それぞれアイコン４１〜４５の出現位置である。出現タイミングはランダムであり、それぞれ異なるタイミングで表示される。例えば位置Ｐ１１から出現したアイコン４１は、白抜き矢印に示すように位置Ｐ２１まで下方向に移動するようにして表示される。アイコン４２〜４５も同様に、それぞれ、位置Ｐ１２〜Ｐ１５から位置Ｐ２１〜Ｐ２５まで下方向に移動するようにして表示される。
【００３０】
位置Ｐ１１〜Ｐ１５から出現したアイコン４１〜４５が位置Ｐ２１〜Ｐ２５まで移動し、ディスプレイ１１の下辺に沿って並べて表示された後、好みのアイコンをユーザが選択できる状態になる。
【００３１】
アイコン４１はモノクロ撮影を表し、アイコン４２はスマイルシャッタを表す。スマイルシャッタは、被写体として写る人物の表情が笑顔であるときに静止画の撮影を行う機能である。アイコン４３はトリミングを表し、アイコン４４は背景ぼかしを表す。背景ぼかしは、被写体として写る人物の背景部分のコントラストを落とすなどして背景をぼかす機能である。アイコン４５は動画撮影を表す。
【００３２】
図８に示すようにユーザがアイコン４３をタッチしたとき、タッチ操作の検出をフィードバックするカーソル５１がアイコン４３を囲むようにして表示される。また、アイコン４３により表されるトリミングが実行され、図９に示すように、被写体である子どもが大きく写る枠６１で示す縦向きの構図が、それ以外の部分をグレー表示させることによって提示される。ユーザがシャッタボタンを押したとき、そのときに撮影された画像全体から枠６１で示す範囲が切り出され、１枚の画像として記録される。
【００３３】
このように、ユーザは、自分が写したいと思う被写体を指でタッチするなどして指定することによって、被写体の状態に応じた撮影設定モードを表すアイコンを表示させることができる。また、ユーザは、所定のアイコンを選択することによって、被写体の写りに関する設定を行うことができる。
【００３４】
図１０に示すように、アイコン４３に続けてユーザがアイコン４２をタッチしたとき、タッチ操作の検出をフィードバックするカーソル５１がアイコン４２を囲むようにして表示される。また、アイコン４２により表されるスマイルシャッタが実行され、図１１に示すように、被写体として写る子どもの顔を囲むように円形の画像７１が表示され、画像７１の右側に、笑顔の度合いを表すインジケータ７２が表示される。すなわち、情報処理装置１には、顔の認識機能、笑顔の度合いの認識機能が搭載されている。笑顔の度合いが閾値を超えたとき、ユーザの操作によらずに自動的に撮影が行われる。
【００３５】
このように、ユーザは、複数のアイコンを指定することによって、複数の撮影設定モードを組み合わせて利用することができる。
【００３６】
ディスプレイ１１に設けられるタッチパネルがマルチタッチに対応している場合、複数の位置をユーザが指定できるようにしてもよい。この場合、ユーザにより指定された位置を含むそれぞれの範囲に写る被写体が認識され、それぞれの被写体の状態に応じた撮影設定モードが選択される。例えば２つの位置が指定された場合、一方の位置を含む範囲に写る被写体の状態に応じて選択された撮影設定モードと、他方の位置を含む範囲に写る被写体の状態に応じて選択された撮影設定モードが所定の数ずつ並べて表示されることになる。
【００３７】
以上のようなGUIによって撮影設定モードをユーザに提示する情報処理装置１の一連の動作についてはフローチャートを参照して後述する。
【００３８】
［情報処理装置の構成例］
図１２は、情報処理装置１の構成例を示すブロック図である。
【００３９】
情報処理装置１は、ディスプレイ１１の他に、制御部１０１、操作キー１０２、タッチパネル１０３、撮像部１０４、画像処理部１０５、コーデック処理部１０６、および記録部１０７から構成される。撮像部１０４は、レンズ部１２１と撮像素子１２２から構成される。
【００４０】
制御部１０１は、CPU(Central Processing Unit)、ROM(Read Only Memory)、RAM(Random Access Memory)などを有している。制御部１０１は、所定のプログラムを実行し、操作キー１０２やタッチパネル１０３から供給された信号に応じて、ディスプレイ１１、撮像部１０４、画像処理部１０５、コーデック処理部１０６、および記録部１０７の各部を制御する。
【００４１】
操作キー１０２は、情報処理装置１の筐体の背面に設けられたボタンや、上面に設けられたシャッタボタンなどより構成され、ユーザによる操作の内容を表す信号を制御部１０１に出力する。
【００４２】
タッチパネル１０３はディスプレイ１１に積層して設けられ、ユーザにより指などでタッチされた位置を表す信号を制御部１０１に出力する。
【００４３】
撮像部１０４のレンズ部１２１は、レンズ等の撮像光学系などから構成される。レンズ部１２１は、制御部１０１による制御に従って駆動し、被写体からの光を撮像素子１２２に導く。
【００４４】
撮像素子１２２はCMOS(Complementary Metal Oxide Semiconductor)などの撮像素子である。撮像素子１２２は、レンズ部１２１からの光の光電変換を行い、光の強度に応じた信号にA/D変換を施して画像処理部１０５に出力する。
【００４５】
画像処理部１０５は、撮像素子１２２から供給された画像信号に対してホワイトバランス調整処理などの各種の画像処理を施す。画像処理部１０５は、画像処理を施すことによって得られた画像信号をLCD(Liquid Crystal Display)などよりなるディスプレイ１１と、コーデック処理部１０６に出力する。
【００４６】
コーデック処理部１０６は、画像処理部１０５からの画像信号に対して符号化処理を施し、画像データを記録部１０７に供給する。
【００４７】
記録部１０７はメモリカードなどよりなり、コーデック処理部１０６から供給された画像データを記録する。
【００４８】
図１３は、情報処理装置１の機能構成例を示すブロック図である。図１３に示す機能部のうちの少なくとも一部は、図１２の制御部１０１により所定のプログラムが実行されることによって実現される。
【００４９】
情報処理装置１においては、検出部１４１、認識部１４２、機能選択部１４３、表示制御部１４４、および機能実行部１４５が実現される。タッチパネル１０３からの信号は検出部１４１に入力され、撮像部１０４により撮影された画像は認識部１４２、表示制御部１４４、および機能実行部１４５に入力される。
【００５０】
検出部１４１は、タッチパネル１０３から供給された信号に基づいて、ユーザがタッチした位置を検出し、検出した位置を表す信号を出力する。検出部１４１から出力された信号は、認識部１４２、表示制御部１４４、および機能実行部１４５に供給される。
【００５１】
認識部１４２は、撮像部１０４から供給されたスルー画像上の位置のうち、タッチすることによってユーザにより指定された位置を検出部１４１から供給された信号に基づいて特定する。また、認識部１４２は、ユーザにより指定された位置を含む所定の範囲に写る被写体と、被写体の状態を認識する。
【００５２】
例えば、認識部１４２は、スルー画像全体のうち、ユーザにより指定された位置を含む所定の範囲内の画像データを解析することによって被写体の特徴を抽出する。また、認識部１４２は、抽出した特徴と、予め用意されている認識対象の特徴のデータとをマッチングすることによって被写体を認識する。
【００５３】
認識部１４２に対しては、例えば、被写体として写る人物を認識するとともに、人物の顔、表情、性別、年齢、服装を認識するためのデータが用意されている。また、被写体として写る花や建造物を認識するためのデータが用意されている。
【００５４】
認識部１４２は、被写体が人物であると認識した場合、そのことを表す情報とともに、被写体として写る人物の性別、年齢、人数、服装を表す情報と、顔の位置、表情を表す情報を認識結果として機能選択部１４３に出力する。また、認識部１４２は、被写体が花であると認識した場合、そのことを表す情報ととともに、被写体として写る花の色、数、花との距離（情報処理装置１−花間の距離）、位置を表す情報を認識結果として機能選択部１４３に出力する。認識部１４２は、被写体が建造物であると認識した場合、そのことを表す情報ととともに、被写体として写る建造物の形状、色合い、位置を表す情報を認識結果として機能選択部１４３に出力する。
【００５５】
認識部１４２から機能選択部１４３に対しては、画像全体の明るさの情報、撮影環境が逆光であるか否かを表す情報なども供給される。認識対象とする被写体は、スルー画像上の一部の範囲に写る被写体であってもよいし、スルー画像全体に写る被写体であってもよい。
【００５６】
機能選択部１４３は、認識部１４２から供給された情報に基づいて、被写体の認識結果に応じた撮影設定モードを選択する。機能選択部１４３に対しては、被写体の認識結果と撮影設定モードとの対応関係を表す情報が用意されている。
【００５７】
図１４は、被写体の認識結果と撮影設定モードとの対応関係の例を示す図である。
【００５８】
被写体が人物である場合、認識部１４２による認識結果に応じて、背景ぼかし、美肌補正、トリミング、スマイルシャッタ、逆光補正、フラッシュモード、動画撮影、モノクロ撮影の中から所定の撮影設定モードが選択される。図５〜図１１は、このような情報に基づいて、モノクロ撮影、スマイルシャッタ、トリミング、背景ぼかし、動画撮影の撮影設定モードが選択された場合の例を示している。
【００５９】
また、被写体が花である場合、認識部１４２による認識結果に応じて、フォーカスモード、フォーカスブラケット、色合い、彩度、明るさ、パートカラー、トリミング、動画撮影の中から所定の撮影設定モードが選択される。例えば、フォーカスモードは、近い被写体にフォーカスを合わせるマクロ撮影などの設定を行うためのモードであり、パートカラーは特定の色の領域だけをカラーとし、他の色の領域をモノクロとするモードである。被写体が建造物である場合、認識部１４２による認識結果に応じて、背景ぼかし、ダイナミックレンジ拡張、逆光補正、色合い、モノクロ撮影の中から所定の撮影設定モードが選択される。
【００６０】
認識対象となる被写体は人物、花、建造物に限られない。例えば、風景、夕景、夜景、花火などが認識されるようにしてもよい。また、静止状態の被写体に限らず、スポーツを行っている人物などの動いている被写体が認識されるようにしてもよい。この場合も、色や明るさ、動きの程度などに応じて、連写モード、ホワイトバランスを調整するモード、感度を調整するモードなどの中から所定の撮影設定モードが選択される。
【００６１】
機能選択部１４３は、選択した撮影設定モードを表す情報を表示制御部１４４と機能実行部１４５に出力する。
【００６２】
表示制御部１４４は、図１〜図１１を参照して説明したようなディスプレイ１１の表示を制御する。例えば、表示制御部１４４は、撮像部１０４から供給された画像信号に基づいてスルー画像を表示させ、ユーザによるタッチ操作が検出部１４１により検出された場合、フィードバックを表す図３の画像２１や、図８のカーソル５１を表示させる。また、表示制御部１４４は、撮影設定モードを表す情報が機能選択部１４３から供給された場合、撮影設定モードを表すアイコンをディスプレイ１１に表示させる。
【００６３】
図１５は、アイコンの表示例を示す図である。
【００６４】
被写体が花であるとして認識された場合、機能選択部１４３による選択結果に基づいて、アイコン１６１〜１６５が表示制御部１４４により表示される。アイコン１６１は色合いの設定を行うための機能を表し、アイコン１６２は彩度の設定を行うための機能を表す。アイコン１６３はフォーカスモードを表し、アイコン１６４はパートカラーを表す。アイコン１６５は動画撮影を表す。
【００６５】
図１５においてカーソル５１で囲んで示すようにユーザが例えばアイコン１６１を選択した場合、画面の右側に示すように調整バー１７１が表示される。ユーザは、調整バー１７１を用いて色合いの設定を行うことができる。調整バー１７１が操作されたとき、機能実行部１４５による制御に従って、スルー画像の色合いが画像処理部１０５により調整され、色合い調整後のスルー画像がディスプレイ１１に表示される。
【００６６】
図１６は、アイコンの他の表示例を示す図である。
【００６７】
被写体が建造物であるとして認識された場合、機能選択部１４３による選択結果に基づいて、アイコン１８１〜１８５が表示制御部１４４により表示される。アイコン１８１はモノクロ撮影を表し、アイコン１８２は彩度の設定を行うための機能を表す。アイコン１８３はダイナミックレンジ拡張を表し、アイコン１８４は背景ぼかしを表す。アイコン１８５は明るさの設定を行うための機能を表す。
【００６８】
図１３の説明に戻り、機能実行部１４５は、機能選択部１４３により選択された撮影設定モードのうち、アイコンにタッチすることによってユーザにより選択された撮影設定モードを実行する。例えば、トリミングの撮影設定モードがユーザにより選択された場合、機能実行部１４５は、画像処理部１０５を制御し、トリミングを行わせる。また、機能実行部１４５は、スマイルシャッタの撮影設定モードがユーザにより選択された場合、認識部１４２による認識結果に基づいてユーザの笑顔の度合いを特定し、笑顔の度合いが閾値以上になったタイミングで撮像部１０４を制御して撮影を行わせる。
【００６９】
［情報処理装置の動作］
図１７のフローチャートを参照して、以上のような構成を有する情報処理装置１の動作について説明する。図１７の処理は、例えば、ユーザが情報処理装置１の電源をオンにしたときに開始される。電源をオンにしたとき、情報処理装置１の状態は静止画を撮影する状態となり、撮像部１０４により撮影が開始される。
【００７０】
ステップＳ１において、表示制御部１４４は、撮像部１０４により撮影された画像をスルー画像としてディスプレイ１１に表示させる。
【００７１】
ユーザが指でスルー画像上の位置をタッチした場合、ステップＳ２において、検出部１４１は、ユーザがタッチした位置を検出する。
【００７２】
ステップＳ３において、表示制御部１４４は、タッチ操作の検出をフィードバックする画像（UI）をディスプレイ１１に表示させる。
【００７３】
ステップＳ４において、表示制御部１４４は、被写体の認識中であることを表すアニメーションをディスプレイ１１に表示させる。
【００７４】
ステップＳ５において、認識部１４２は、スルー画像を解析することによって、ユーザにより指定された位置を含む所定の範囲に写る被写体と、被写体の状態を認識する。
【００７５】
ステップＳ６において、機能選択部１４３は、認識部１４２による被写体の認識結果に応じた撮影設定モードを選択する。
【００７６】
ステップＳ７において、表示制御部１４４は、機能選択部１４３により選択された撮影設定モードを表すアイコンをディスプレイ１１に表示させる。
【００７７】
ステップＳ８において、検出部１４１は、ユーザがタッチした位置を検出する。
【００７８】
ステップＳ９において、機能実行部１４５は、ユーザがタッチしたアイコンを特定し、ユーザにより選択された撮影設定モードを実行する。その後、処理は終了される。
【００７９】
以上の処理により、ユーザは、自分が撮影しようと思う被写体の状態に応じて各種の設定を行うことができる。撮影設定モードは、明るさを設定したり色合いを設定したりといったように、基本的に被写体の写りに関する１つのパラメータの設定に用いられるものであるから、複数のパラメータがまとめて設定される場合に較べて細かい設定が可能になる。
【００８０】
また、被写体の状態に応じた最適な撮影設定モードが自動的に選択されることから、ユーザは、各項目が階層化されたメニュー画面などから機能を選択する場合に較べて容易に設定を行うことができる。
【００８１】
［変形例］
以上においては、一連の処理がデジタルカメラにおいて行われるものとしたが、被写体の認識や撮影設定モードの選択などの一部の処理が、デジタルカメラからの情報を受信した他の装置において行われるようにしてもよい。
【００８２】
この場合、デジタルカメラと通信を行うことが可能な携帯端末やネットワーク上のサーバなどの他の装置は、デジタルカメラから送信されてきたスルー画像やユーザの操作に関する情報を受信し、被写体の認識や撮影設定モードの選択を行うことになる。また、他の装置は、選択した撮影設定モードの情報をデジタルカメラに送信し、アイコンの表示などを行わせる。
【００８３】
上述した一連の処理は、ハードウェアにより実行することもできるし、ソフトウェアにより実行することもできる。一連の処理をソフトウェアにより実行する場合には、そのソフトウェアを構成するプログラムが、専用のハードウェアに組み込まれているコンピュータ、または汎用のパーソナルコンピュータなどに、プログラム記録媒体からインストールされる。
【００８４】
図１８は、上述した一連の処理をプログラムにより実行するコンピュータのハードウェアの構成例を示すブロック図である。
【００８５】
CPU(Central Processing Unit)２０１、ROM(Read Only Memory)２０２、RAM(Random Access Memory)２０３は、バス２０４により相互に接続されている。
【００８６】
バス２０４には、さらに、入出力インタフェース２０５が接続されている。入出力インタフェース２０５には、キーボード、マウスなどよりなる入力部２０６、ディスプレイ、スピーカなどよりなる出力部２０７が接続される。また、入出力インタフェース２０５には、ハードディスクや不揮発性のメモリなどよりなる記憶部２０８、ネットワークインタフェースなどよりなる通信部２０９、リムーバブルメディア２１１を駆動するドライブ２１０が接続される。
【００８７】
以上のように構成されるコンピュータでは、CPU２０１が、例えば、記憶部２０８に記憶されているプログラムを入出力インタフェース２０５及びバス２０４を介してRAM２０３にロードして実行することにより、上述した一連の処理が行われる。
【００８８】
CPU２０１が実行するプログラムは、例えばリムーバブルメディア２１１に記録して、あるいは、ローカルエリアネットワーク、インターネット、デジタル放送といった、有線または無線の伝送媒体を介して提供され、記憶部２０８にインストールされる。
【００８９】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【００９０】
本技術の実施の形態は、上述した実施の形態に限定されるものではなく、本技術の要旨を逸脱しない範囲において種々の変更が可能である。
【００９１】
例えば、本技術は、１つの機能をネットワークを介して複数の装置で分担、共同して処理するクラウドコンピューティングの構成をとることができる。
【００９２】
また、上述のフローチャートで説明した各ステップは、１つの装置で実行する他、複数の装置で分担して実行することができる。
【００９３】
さらに、１つのステップに複数の処理が含まれる場合には、その１つのステップに含まれる複数の処理は、１つの装置で実行する他、複数の装置で分担して実行することができる。
【００９４】
［構成の組み合わせ例］
本技術は、以下のような構成をとることもできる。
【００９５】
（１）
ユーザにより指定された画像上の位置を検出する検出部と、
検出された位置を含む範囲に写る被写体を認識する認識部と、
前記被写体の写りに関する設定を行う機能を、前記被写体の認識結果に応じて複数選択する選択部と、
選択された前記機能を表すアイコンを前記画像に重ねて表示させる表示制御部と
を備える情報処理装置。
【００９６】
（２）
撮影部をさらに備え、
前記検出部は、前記撮影部により撮影されたスルー画像上の位置を検出する
前記（１）に記載の情報処理装置。
【００９７】
（３）
前記認識部は、前記画像の一部の範囲に写る前記被写体を認識する
前記（１）または（２）に記載の情報処理装置。
【００９８】
（４）
前記検出部は、ユーザにより指定された複数の位置を検出し、
前記認識部は、検出された位置を含むそれぞれの範囲に写る前記被写体を認識し、
前記選択部は、複数の前記被写体の認識結果に応じて前記機能を選択する
前記（１）乃至（３）のいずれかに記載の情報処理装置。
【００９９】
（５）
前記表示制御部は、前記アイコンが選択された場合、選択された前記アイコンにより表される前記機能によって前記被写体の写りに関する設定を行うための操作画像を表示させる
前記（１）乃至（４）のいずれかに記載の情報処理装置。
【０１００】
（６）
前記操作画像を用いて行われた設定に応じて、前記被写体の写りを変える画像処理部をさらに備える
前記（１）乃至（５）のいずれかに記載の情報処理装置。
【０１０１】
（７）
前記表示制御部は、複数の前記アイコンを画面の下方に横方向に並べて表示させる
前記（１）乃至（６）のいずれかに記載の情報処理装置。
【０１０２】
（８）
前記表示制御部は、複数の前記アイコンを、画面の所定の位置に異なるタイミングで出現させ、並べて表示させる位置まで移動させる
前記（７）に記載の情報処理装置。
【０１０３】
（９）
前記表示制御部は、前記検出部により検出された位置に、位置を検出したことを表す画像を表示させる
前記（１）乃至（８）のいずれかに記載の情報処理装置。
【０１０４】
（１０）
ユーザにより指定された画像上の位置を検出し、
検出した位置を含む範囲に写る被写体を認識し、
前記被写体の写りに関する設定を行う機能を、前記被写体の認識結果に応じて複数選択し、
選択した前記機能を表すアイコンを前記画像に重ねて表示させる
ステップを含む情報処理方法。
【０１０５】
（１１）
ユーザにより指定された画像上の位置を検出し、
検出した位置を含む範囲に写る被写体を認識し、
前記被写体の写りに関する設定を行う機能を、前記被写体の認識結果に応じて複数選択し、
選択した前記機能を表すアイコンを前記画像に重ねて表示させる
ステップを含む処理をコンピュータに実行させるプログラム。
【符号の説明】
【０１０６】
１  情報処理装置，  １１  ディスプレイ，  １４１  検出部，  １４２  認識部，  １４３  機能選択部，  １４４  表示制御部，  １４５  機能実行部
【図１】
2014075651.tif 000003
【図２】
2014075651.tif 000004
【図３】
2014075651.tif 000005
【図４】
2014075651.tif 000006
【図５】
2014075651.tif 000007
【図６】
2014075651.tif 000008
【図７】
2014075651.tif 000009
【図８】
2014075651.tif 000010
【図９】
2014075651.tif 000011
【図１０】
2014075651.tif 000012
【図１１】
2014075651.tif 000013
【図１２】
2014075651.tif 000014
【図１３】
2014075651.tif 000015
【図１４】
2014075651.tif 000016
【図１５】
2014075651.tif 000017
【図１６】
2014075651.tif 000018
【図１７】
2014075651.tif 000019
【図１８】
2014075651.tif 000020